(57)【要約】【課題】  データ転送を、容易に行えるデータ転送装置を提供する。【解決手段】  外部サーバに格納されているデータに付随する関連データのリストであるサーバデータリストを取得するサーバデータリスト取得手段と、データ格納手段と、前記データ格納手段に格納されているデータに付随する関連データのリストであるローカルデータリストを管理するローカルデータリスト管理手段と、前記サーバデータリストおよび前記ローカルデータリストを表示する表示手段と、前記表示手段により表示された前記サーバデータリストおよび前記ローカルデータリストから、データを選択する選択手段とを備え、前記選択手段によりユーザにより選択されたデータおよびそのデータに付随する関連データを、送受信する。【選択図】  図１
2009088739.tif 000002
【特許請求の範囲】
【請求項１】
一つもしくは複数の外部サーバとネットワークを介して接続するネットワーク接続手段と、
前記外部サーバを検出するサーバ検出手段と、
前記外部サーバに対しデータ転送を要求するデータ転送要求手段と、
データ転送の制御を行うデータ転送制御手段と、
前記外部サーバ内に格納されているデータに付随する関連データのリストであるサーバデータリストを取得するサーバデータリスト取得手段と、
データおよびそのデータに付随する関連データを格納するデータ格納手段と、
前記データ格納手段に格納されているデータに付随する関連データのリストであるローカルデータリストを管理するローカルデータリスト管理手段と、
前記サーバデータリストおよび前記ローカルデータリストを表示する表示手段と、
前記表示手段により表示された前記サーバデータリストおよび前記ローカルデータリストから、データを選択する選択手段と、
を備え、
前記データ転送制御手段により、
上記データリスト管理手段により管理された前記ローカルデータリストに基づき、前記データ格納手段に格納されているデータのうち、前記表示手段により表示された前記ローカルデータリストから、前記選択手段によりユーザにより選択されたデータおよびそのデータに付随する関連データを、前記外部サーバ検出手段で検出された少なくとも一つの前記外部サーバに対して送信して、前記外部サーバが前記データを受信するように、前記データ転送要求手段と、前記データ格納手段と、ネットワーク接続手段を制御し、
前記データ転送制御手段により、
前記外部サーバ検出手段で検出された少なくとも一つの前記外部サーバの上記サーバデータリスト取得手段により取得された前記サーバデータリストに基づき、前記サーバ内に格納されているデータのうち、前記表示手段により表示された前記サーバデータリストから、前記選択手段によりユーザにより選択されたデータおよびそのデータに付随する関連データを前記外部サーバが送信して、前記データ格納手段に格納するように、前記データ転送要求手段と、ネットワーク接続手段と、前記データ格納手段とを制御することを特徴とするデータ転送装置。
【請求項２】
請求項１に記載のデータ転送装置において、
前記ローカルデータリスト管理手段は、ユーザが選択したデータを前記外部サーバに送信する際に、前記ローカルデータリストを更新することを特徴とするデータ転送装置。
【請求項３】
請求項１に記載のデータ転送装置において、
前記ローカルデータリスト管理手段は、ユーザが選択したデータを前記データ格納手段に格納する際に、前記サーバデータリストに基づき前記ローカルデータリストを更新することを特徴とするデータ転送装置。
【請求項４】
請求項１に記載のデータ転送装置において、
前記ローカルデータリスト、および前記サーバデータリストに基づいたデータの情報を前記表示手段により表示することを特徴とするデータ転送装置。
【請求項５】
請求項４に記載のデータ転送装置において、
前記ローカルデータリスト、および前記サーバデータリストに基づいた、データの情報をタブにより分類して前記表示手段により表示することを特徴とするデータ転送装置。
【請求項６】
請求項４に記載のデータ転送装置において、
前記ローカルデータリスト、および前記サーバデータリストに基づいた、データの情報をタブにより一括して前記表示手段により表示することを特徴とするデータ転送装置。
【請求項７】
請求項１に記載のデータ転送装置において、
前記ローカルデータリストには、前記データに付随する関連データとして、データの日付、記録時間、記録モード、題名を含むことを特徴とするデータ転送装置。
【請求項８】
請求項１に記載のデータ転送装置において、
前記サーバデータリストには、前記データに付随する関連データとして、データの日付、記録時間、記録モード、題名を含むことを特徴とするデータ転送装置。
【請求項９】
請求項７に記載のデータ転送装置において、
前記ローカルデータリストには、前記データに付随する関連データとして、データのサムネイルを含むことを特徴とするデータ転送装置。
【請求項１０】
請求項８に記載のデータ転送装置において、
前記サーバデータリストには、前記データに付随する関連データとして、データのサムネイルを含むことを特徴とするデータ転送装置。
【請求項１１】
請求項１に記載のデータ転送装置において、
前記表示手段は、前記データ転送の進捗状況を前記表示装置へ逐次表示することを特徴とするデータ転送装置。
【請求項１２】
請求項１１に記載のデータ転送装置において、
前記表示手段は、前記データ転送の進捗状況を前記表示装置へ逐次表示する際に、データ転送元とデータ転送先を表示することを特徴とするデータ転送装置。
【請求項１３】
請求項１１に記載のデータ転送装置において、
前記表示手段は、前記データ転送が完了した旨を表示することを特徴とするデータ転送装置。
【請求項１４】
請求項１１に記載のデータ転送装置において、
前記表示手段は、前記データ転送が完了した際に前記データ転送の進捗状況の表示を消去することを特徴とするデータ転送装置。
【請求項１５】
ディジタル放送を受信するデータ転送装置であって、
一つもしくは複数の外部サーバとネットワークを介して接続するネットワーク接続手段と、
前記外部サーバを検出するサーバ検出手段と、
前記外部サーバに対しデータ転送を要求するデータ転送要求手段と、
データ転送の制御を行うデータ転送制御手段と、
前記外部サーバ内に格納されているデータに付随する関連データのリストであるサーバデータリストを取得するサーバデータリスト取得手段と、
データおよびそのデータに付随する関連データを格納するデータ格納手段と、
前記データ格納手段に格納されているデータに付随する関連データのリストであるローカルデータリストを管理するローカルデータリスト管理手段と、
前記サーバデータリストおよび前記ローカルデータリストを表示する表示手段と、
前記表示手段により表示された前記サーバデータリストおよび前記ローカルデータリストから、データを選択する選択手段と、
を備え、
前記データ転送制御手段により、
上記データリスト管理手段により管理された前記ローカルデータリストに基づき、前記データ格納手段に格納されているデータのうち、前記表示手段により表示された前記ローカルデータリストから、前記選択手段によりユーザにより選択されたデータおよびそのデータに付随する関連データを、前記外部サーバ検出手段で検出された少なくとも一つの前記外部サーバに対して送信して、前記外部サーバが前記データを受信するように、前記データ転送要求手段と、前記データ格納手段と、ネットワーク接続手段を制御し、
前記データ転送制御手段により、
前記外部サーバ検出手段で検出された少なくとも一つの前記外部サーバの上記サーバデータリスト取得手段により取得された前記サーバデータリストに基づき、前記サーバ内に格納されているデータのうち、前記表示手段により表示された前記サーバデータリストから、前記選択手段によりユーザにより選択されたデータおよびそのデータに付随する関連データを前記外部サーバが送信して、前記データ格納手段に格納するように、前記データ転送要求手段と、ネットワーク接続手段と、前記データ格納手段とを制御することを特徴とするデータ転送装置。
【請求項１６】
請求項１５に記載のデータ転送装置において、前記データ格納手段は、ディジタル放送番組およびその番組に付随する関連データを格納することを特徴とするデータ転送装置。
【発明の詳細な説明】
【技術分野】
【０００１】
画像・音声データを転送し格納するデータ転送装置に関するものである。
【背景技術】
【０００２】
画像や音声を撮影する機器としてデジタルビデオカメラやデジタルカメラの普及が進んでいる。またそれらの画像を記録する媒体としては、内蔵ＨＤＤ（ハードディスクドライブ）のような非可搬性の媒体や、ＤＶＤ（Ｄｉｇｉｔａｌ  Ｖｅｒｓａｔｉｌｅ  Ｄｉｓｃ）、ＢＤ（ブルーレイディスク）、メモリカードなどの可搬性の媒体など、様々なものが用いられている。このうち内蔵ＨＤＤは大容量などの利点がありよく用いられる。しかし取り外しが困難な為、記録した画像で容量が一杯になってしまった場合、機器の外部に何らかの形でデータを取り出してバックアップを取るか、記録した映像を消去しなければ、それ以上撮影が出来なくなるという欠点がある。
【０００３】
そこで、例えば、特開２００３−８７７００号公報（以下、「特許文献１」という）では、デジタルカメラで撮影したデータをコンパクトフラッシュ（登録商標）カードに格納し、撮影データをインターフェースを介してテレビ受信機のＲＡＭに格納させるという技術が開示されている。
【０００４】
【特許文献１】特開２００３−８７７００号
【発明の開示】
【発明が解決しようとする課題】
【０００５】
しかし、かかる技術によると、画像を他の装置に移動させるためには、撮影データを転送するにあたり、コンパクトフラッシュ（登録商標）カードをテレビ受信機に接続して、データ転送ソフトウエアなどを用いてデータを転送を行ったり、上記可搬媒体を用いてのデータ移動を機器間で行うため、移動元と移動先それぞれの機器を別々に操作する必要があるなどユーザにとっての利便性が損なわれている。
【０００６】
本発明の課題は、画像や音声データを機器間で移動させる際に、機器同士の操作でユーザを煩わせることなく、データ移動の利便性を高めることである。
【課題を解決するための手段】
【０００７】
上記課題を解決するため、例えば、データ転送装置において、一つもしくは複数の外部サーバとネットワークを介して接続するネットワーク接続手段と、前記外部サーバを検出するサーバ検出手段と、前記外部サーバに対しデータ転送を要求するデータ転送要求手段と、データ転送の制御を行うデータ転送制御手段と、前記外部サーバ内に格納されているデータに付随する関連データのリストであるサーバデータリストを取得するサーバデータリスト取得手段と、データおよびそのデータに付随する関連データを格納するデータ格納手段と、前記データ格納手段に格納されているデータに付随する関連データのリストであるローカルデータリストを管理するローカルデータリスト管理手段と、前記サーバデータリストおよび前記ローカルデータリストを表示する表示手段と、前記表示手段により表示された前記サーバデータリストおよび前記ローカルデータリストから、データを選択する選択手段と、を備え、前記データ転送制御手段により、上記データリスト管理手段により管理された前記ローカルデータリストに基づき、前記データ格納手段に格納されているデータのうち、前記表示手段により表示された前記ローカルデータリストから、前記選択手段によりユーザにより選択されたデータおよびそのデータに付随する関連データを、前記外部サーバ検出手段で検出された少なくとも一つの前記外部サーバに対して送信して、前記外部サーバが前記データを受信するように、前記データ転送要求手段と、前記データ格納手段と、ネットワーク接続手段を制御すし、前記データ転送制御手段により、前記外部サーバ検出手段で検出された少なくとも一つの前記外部サーバの上記サーバデータリスト取得手段により取得された前記サーバデータリストに基づき、前記サーバ内に格納されているデータのうち、前記表示手段により表示された前記サーバデータリストから、前記選択手段によりユーザにより選択されたデータおよびそのデータに付随する関連データを前記外部サーバが送信して、前記データ格納手段に格納するように、前記データ転送要求手段と、ネットワーク接続手段と、前記データ格納手段と、を制御する構成にした。
【発明の効果】
【０００８】
本発明により、画像や音声データを移動する際に、ユーザが移動元と移動先それぞれの機器を操作することなく、容易にデータ移動を実現でき、利便性を高めることが可能となる。
【発明を実施するための最良の形態】
【０００９】
以下において図面を用いて本発明によるデータ転送装置の実施形態について説明する。なお、本発明は図示例に限定されるものではない。
【実施例１】
【００１０】
（ダウンロード）
図１に本発明の第１の実施例であるデータ転送装置を含むビデオデータ転送システムを示す。１はビデオカメラである。撮影装置１０で撮影した画像や音声のデータは、信号処理部１５で補正・圧縮等の信号処理を施された後、内蔵されたＨＤＤ１１またはブルーレイディスク媒体１２に記録される。２はデータ転送装置である。
【００１１】
ビデオカメラ１とはネットワーク３を介して接続されている。このビデオデータ転送システムにおいてビデオカメラ１は画像・音声データを送出するサーバとして機能する。またデータ転送装置２は、ビデオカメラ１から送出された画像・音声データを受信し、格納するクライアントとして機能する。２１は、内蔵されたＨＤＤなどのデータ格納部である。４はデータセンタであり、ビデオカメラ１で撮影した画像や音声データを格納しておけるサーバで、これもネットワーク３を介して接続されている。
【００１２】
データセンタ４は、例えばインターネットを介して宅外に設けられ、複数のユーザが利用できる。４１は、ＨＤＤなどのデータ格納部であり、２１のデータ格納部に比べ、大容量なものが使用される。
【００１３】
図２は、データ転送装置２のブロック図である。２１は前述のＨＤＤなどで構成され、データおよびそのデータに付随する関連データを格納するデータ格納部、２２は外部サーバとネットワークを介して接続するネットワーク接続部、２３は外部サーバを検出するサーバ検出部、２４は外部サーバに対しデータ転送を要求するデータ転送要求部、２５はデータ転送の制御を行うデータ転送制御部、２６は外部サーバ内に格納されているデータに付随する関連データのリストであるサーバデータリストを取得するサーバデータリスト取得部、２７はデータ格納部２１に格納されているデータに付随する関連データのリストであるローカルデータリストを管理するローカルデータリスト管理部、２８はサーバデータリストおよびローカルデータリストを表示する表示部、２９は表示手段により表示されたサーバデータリストおよびローカルデータリストからデータを選択する選択部である。
【００１４】
図３は、図２のデータ転送装置２がビデオカメラ１とネットワークを介して接続した場合の動作フローを示した図である。
【００１５】
ビデオカメラ１のサーバ機能が起動され、データ送出が可能となると、ネットワーク３を介して、ブロードキャストメッセージが流される。データ転送装置２では、ネットワーク接続部２２、データ転送制御部２５を介して、サーバ検出部２３において、このメッセージを受信することにより、ネットワーク３上でビデオカメラ１のサーバが新たに起動したことを検出する。
【００１６】
サーバ検出部２３で新たなサーバを検出すると、サーバデータリスト取得部２６にてサーバデータリストすなわちサーバ上のデータルのリストの取得処理を行う。そのためにまずサーバデータリスト取得部２６ではネットワーク３を介してビデオカメラ１に対しリスト要求を出力する。
【００１７】
ビデオカメラ１のリスト生成・送出部１３では、上記リスト要求を受信すると、ＨＤＤ１１またはブルーレイディスク媒体１２にアクセスすることによって、それらに格納されているデータファイルのリストを生成する。さらに、生成したリストをネットワーク３を介してデータ転送装置２に送出する。
【００１８】
データ転送装置２のサーバデータリスト取得部２６では、リスト生成・送出部１３から送出された上記リストをサーバデータリストとして受信する。
【００１９】
図４に、取得したサーバデータリストの一例を示す。各データ毎に以下のような情報が含まれている。ファイル名は、サーバデータの名称である。種別は、動画・静止画・音声などデータの種類を示す。サーバ名はサーバを識別する名称でありこの例ではビデオカメラ１である。媒体はサーバであるビデオカメラ１において当該ファイルを格納している媒体を示す。この例ではＨＤＤはＨＤＤ１１を、ＢＤはブルーレイディスク媒体１２を示している。
【００２０】
サーバデータリストの取得を完了すると、データ転送制御部２５は、表示部２８にサーバデータリストを表示する。
【００２１】
表示部２８に表示されたサーバデータリストのうち、データ格納部２１に格納したいデータを、ユーザが選択手段２９により選択（例えばＤＥＦ２８５６．ｍｐｇ）すると、ビデオカメラ１に対し、データ要求を出力する。
【００２２】
ビデオカメラ１のデータ送出部１４では、上記データ要求を受信すると、ＨＤＤ１１またはブルーレイディスク媒体１２にアクセスすることによって、それらに格納されているデータをネットワーク３を介してデータ転送装置２に送出する。
【００２３】
データ転送装置２では、ビデオカメラ１から送信された所望のデータをネットワーク接続部２２、データ転送制御部２５を介してデータ格納部２１に格納する。
【００２４】
次に、ローカルデータリスト管理部は、ビデオカメラ１から受信したデータをローカルデータリストに追加する。
【００２５】
図５に、ローカルデータリストの一例を示す。ビデオカメラ１から受信したデータＤＥＦ２８５６．ｍｐｇが追加される。この場合、媒体ＨＤＤとは、データ転送装置２のデータ格納部２１を示す。
【００２６】
以上、本実施例によれば、サーバであるビデオカメラ１をデータ転送装置２が自動的に検出し、ユーザはデータ転送装置２に表示されるビデオカメラ１のデータの中から必要なデータを選択するだけで簡単にビデオカメラの撮影データをデータ転送装置２のデータ格納部２１にコピーさせることが可能となり、ユーザの利便性が格段に向上させることができる。
【実施例２】
【００２７】
（アップロード）
図６は、図１のデータ転送装置２とデータセンタ４がネットワークを介して接続した場合の動作フローを示した図である。
【００２８】
データセンタ４ではサーバ機能が起動されており、ネットワーク３を介して、ブロードキャストメッセージが流される。データ転送装置２では、ネットワーク接続部２２、データ転送制御部２５を介して、サーバ検出部２３において、このメッセージを受信することにより、ネットワーク３上にデータセンタが起動していること検出する。
【００２９】
サーバ検出部２３で新たなサーバを検出すると、サーバデータリスト取得部２６にてサーバデータリストすなわちサーバ上のデータルのリストの取得処理を行う。そのためにまずサーバデータリスト取得部２６ではネットワーク３を介してデータセンタ４に対しリスト要求を出力する。
【００３０】
データセンタ４のリスト生成・送出部１３では、上記リスト要求を受信すると、ＨＤＤ４１にアクセスすることによって、それらに格納されているデータファイルのリストを生成する。さらに、生成したリストをネットワーク３を介してデータ転送装置２に送出する。
【００３１】
データ転送装置２のサーバデータリスト取得部２６では、リスト生成・送出部１３から送出された上記リストをサーバデータリストとして受信する。
【００３２】
取得したサーバデータリストは、図示しないが、図４で示した例と同等のものである。ただし、サーバ名は、データセンタ４となる。
【００３３】
次にユーザは、表示部２８に表示されたローカルデータリストのうち、データセンタ４のデータ格納部４１に格納したいデータを、ユーザが選択手段２９により選択（例えばＤＥＦ２８５６．ｍｐｇ）すると、データセンタ４に対し、データ受信要求を出力する。
【００３４】
データセンタ４のデータ受信部４３では、上記データ受信要求を受信すると、データ転送装置２から選択され送出されたデータをネットワーク３を介して、ＨＤＤ４１に格納する。
【００３５】
以上によって、本実施例では、サーバであるデータセンタ４をデータ転送装置２が自動的に検出し、ユーザはデータ転送装置２に表示されるデータ格納部のデータの中から必要なデータを選択して簡単にデータセンタ４のデータ格納部４１にコピーさせることが可能となり、ユーザの利便性が格段に向上する。
【実施例３】
【００３６】
（ＤＴＶ）
図７は本発明によるデータ転送装置の他の一実施形態を示すブロック図である。
図７において、２は本発明のデータ転送装置の一実施例であるディジタルテレビ、１０１は映像信号入力端子、１０２は、音声信号入力端子、１０３は映像信号Ａ／Ｄコンバータ、１０４は音声信号Ａ／Ｄコンバータ、１０５はコピー制限情報検出回路、１０７は映像信号圧縮回路、１０８は音声信号圧縮回路、１０９はシステムエンコーダ、１１０はバッファ制御回路、１１１は記録用バッファ、１１２は再生用バッファ、２１１はディジタルテレビ２に固定し内蔵される例えばハードディスクで構成される内蔵記録媒体、２１２はディジタルテレビ２に着脱可能な例えばハードディスクで構成される外付け記録媒体、１１４はシステムデコーダ、１１５は映像信号伸張回路、１１６は音声信号伸張回路、１１７は映像信号Ｄ／Ａコンバータ、１１８は音声信号Ｄ／Ａコンバータ、１１９は映像信号出力端子、１２０は音声信号出力端子、２２はネットワーク接続回路、１２４はネットワーク接続端子、１２１は制御回路、１２２はグラフィックス回路、１２３は表示パネル、１２５はリモコン受信素子である。また、１０６１は映像信号切り換えスイッチ、１０６２は音声信号切り換えスイッチ、１１１は記録用バッファ、１１２は再生用バッファ、１２２１は暗号回路、１２２２は復号回路、１４１はディジタル放送信号入力端子、１４２はディジタルチューナ、１３３はディジタル信号切り換えスイッチである。
【００３７】
映像信号入力端子１０１から入力された映像信号は、映像信号Ａ／Ｄコンバータ１０３においてディジタル信号に変換され、コピー制限情報検出回路４０５に入力されるとともに、映像信号圧縮回路１０７に入力される。コピー制限情報検出回路４０５では、例えば、映像信号の垂直帰線区間に重畳されているコピー制限情報を検出する。コピー制限情報としては、コピー可、世代コピー可、コピー禁止の意味を持つ情報であり、コピー禁止の場合は、以下の動作は行わない。
【００３８】
映像信号圧縮回路１０７では、例えば、映像圧縮符号化方式としてＩＳＯ／ＩＥＣ１３８１８−２（通称ＭＰＥＧ２Ｖｉｄｅｏ）ＭＰ＠ＭＬ（Ｍａｉｎ  Ｐｒｏｆｉｌｅ＠Ｍａｉｎ  Ｌｅｖｅｌ）規格に準拠した圧縮符号化データを生成する。その他、映像圧縮符号化方式としては、特に限定するものではなく、ＪＰＥＧ規格方式などでもよい。生成した圧縮符号化映像データは、システムエンコーダ１０９に入力される。
【００３９】
また、音声信号入力端子１０２から入力された音声信号は音声信号Ａ／Ｄコンバータ１０４において所定のサンプリングレートによりアナログ／ディジタル変換が行われる。ディジタル信号に変換された音声信号は、音声信号圧縮回路１０８に入力される。音声信号圧縮回路１０８では、例えば、音声圧縮符号化方式としてＩＳＯ／ＩＥＣ１３８１８−１（通称ＭＰＥＧ２Ａｕｄｉｏ）規格に準拠した圧縮符号化データを生成する。生成した圧縮符号化音声データは、システムエンコーダ１０９に入力される。音声圧縮符号化方式についても特に限定するものではない。
【００４０】
システムエンコーダ１０９に入力された圧縮符号化映像データおよび圧縮符号化音声データは、それぞれパケット化、および多重化され、一本のシステムストリームに変換された後、バッファ制御回路１１０を介して記録用バッファ１１１に入力される。システムストリームには、付加情報として、元映像のサイズ、縦横比、システムストリーム中の圧縮符号化映像データおよび圧縮符号化音声データのビットレート等が追加される。
【００４１】
記録用バッファ１１１に蓄積されたシステムストリームは、バッファ制御回路１１０を介して記録媒体２１１あるいは記録媒体２１２に記録される。
【００４２】
ディジタル放送信号入力端子１４１からは、衛星、ケーブル等から放送されたディジタル放送信号が入力され、ディジタルチューナ１４２において復調、選局処理がなされシステムストリームとして、ディジタル信号切り換えスイッチ１３３を介して、記録媒体２１１、あるいは記録媒体２１２に記録される。ディジタル放送信号にも前述のコピー制限情報が埋め込まれている。
【００４３】
ここで、記録されるシステムストリームのコピー制限情報が世代コピー可の制限をもつ場合、暗号回路１２２１にてシステムストリームが暗号化され、記録媒体に記録される。暗号化は、記録バッファ１１１に格納されているシステムストリームを暗号回路１２２１で暗号化し、再度記録バッファ１１１に格納し、その暗号化されたシステムストリームをバッファ制御回路１１０を介して、記録媒体２１１、２１２に記録する。暗号化の際の鍵は、例えば、ディジタルテレビ２の持つ固有情報、記録媒体２１１、２１２の持つ固有情報、そのほか乱数などから生成される。
【００４４】
ここで、記録媒体２１１、２１２に記録されているシステムストリームの管理は、制御回路１２１で行われ、システムストリームリストとして管理されている。
【００４５】
記録媒体２１１あるいは２１２から再生されるシステムストリームは、バッファ制御回路１１０を介して再生用バッファ１１２に格納される。さらに、バッファ制御回路１１０を介してシステムデコーダ１１４に入力される。システムデコーダ１１４に入力されたシステムストリームは、圧縮符号化映像データ、および圧縮符号化音声データのパケットにそれぞれ分離され、各々のパケットから取り出した圧縮符号化映像データは、映像信号伸張回路１１５に、また圧縮符号化音声データは、音声信号伸張回路１１６に入力される。映像信号伸張回路１１５で圧縮符号化映像データの伸張が施された後、グラフィックス回路１２２にて付属映像情報が重畳され、表示パネル１２３に出力される。また、映像信号が映像信号Ｄ／Ａコンバータ１１７に、音声信号が音声信号Ｄ／Ａコンバータ１１８に入力され、アナログ信号に変換され、映像信号出力端子１１９、音声信号出力端子１２０から出力される。
【００４６】
また、記録媒体２１１、２１２に格納されているシステムストリームが暗号化されている場合は、復号回路１２２２にて暗号が復号化される。記録媒体２１１、２１２から再生したシステムストリームは、バッファ制御回路１１０を介して一旦再生バッファ１１２に格納され、復号回路１２２２で復号化し、再度再生バッファ１１２に格納し、その復号化されたシステムストリームをバッファ制御回路１１０を介して、システムデコーダ１１４に供給する。復号化の際の鍵は、記録時同様、例えば、ディジタルテレビ２の持つ固有情報、記録媒体２１１、２１２の持つ固有情報、そのほか乱数などから生成され記録時の暗号化の際の鍵と同じ鍵が生成され用いられる。
【００４７】
なお、記録用バッファ１１１、および再生用バッファ１１２は、例えば半導体メモリで構成され、それぞれ別個の半導体チップで構成してもよいし、同一の半導体チップ上で、その記憶領域を分けて実現してもよい。
【００４８】
また、記録媒体２１１から記録媒体２１２へ、あるいはその逆のダビング、移動も考えられる。
【００４９】
その方法として、一つの例は、記録媒体２１１から再生したシステムストリームがバッファ制御回路１１０を介して再生用バッファ１１２に格納され、復号回路１２２２で復号され再度再生用バッファ１１２に格納されたシステムストリームが、バッファ制御回路１１０を介して、記録用バッファ１１１に格納された後、暗号回路１２２１で暗号化され、再度記録用バッファ１１１に格納された後、バッファ制御回路１１０を介して記録媒体２１２に記録される方法があげられる。
【００５０】
また、別の方法として、記録媒体２１１から再生されたシステムストリームを復号して、再生用バッファ１１２からシステムデコーダ１１４に、バッファ制御回路１１０により供給し、映像信号および音声信号を伸張した後、映像信号切り換えスイッチ１０６１、音声信号切り換えスイッチ１０６２により再度映像信号圧縮回路１０７、音声信号圧縮回路１０８にて圧縮符号化し、システムエンコーダ１０９にて得られたシステムストリームをバッファ制御回路１１０により記録用バッファ１１１に格納、暗号回路１２２１で暗号化の後、記録媒体２１２に記録する方法もある。
【００５１】
この場合、映像信号圧縮回路１０７、音声信号圧縮回路１０８にて、記録媒体２１１から再生したシステムストリームのビットレートより低いビットレートで圧縮符号化することにより、映像信号、音声信号の品質は劣化するが、記録媒体２１２の記録領域を有効に確保できる。本実施例では、一度伸張した映像、音声信号を再度圧縮する方式を示したが、別途伸張圧縮を一度に行える、いわゆるトランスコーダを用いてもよい。あるいは、さらい映像伸張回路を追加することで、番組の視聴を妨げずに上記動作を行うことが可能になる。
【００５２】
なお、記録用バッファ１１１ａ、再生用バッファ１１２ａ、記録用バッファ１１１ｂ、および再生用バッファ１１２ｂは、例えば半導体メモリで構成され、それぞれ別個の半導体チップで構成してもよいし、同一の半導体チップ上で、その記憶領域を分けて実現してもよい。
【００５３】
ネットワーク接続端子１２４からは、前述のネットワークを介して接続されるビデオカメラなどの外部サーバとのメッセージ、リスト要求、サーバデータリスト、データ送受信要求、データであるシステムストリームが入出力される。
【００５４】
外部サーバからのデータをコピーする場合は、前述のように、サーバデータリストを取得すると、グラフィクス回路１２２により、表示パネル１２３に表示させる。ユーザは、表示されたサーバデータリストの中から、図示しないリモコンを用いてコピーしたいデータを選択すると、リモコン受信素子１２５から制御回路１２１により、指令が入力され、ネットワーク接続回路２２から、外部サーバに対し、データ要求を出力する。外部サーバから送信されたデータは、ネットワーク接続端子１２４、ネットワーク接続回路２２、バッファ制御回路１１０を介して記録バッファ１１１に格納される。あとは、前述と同様、記録媒体２１１あるいは記録媒体２１２に外部サーバから受信したデータであるシステムストリームが記録される。
【００５５】
さらに、外部サーバに対して、記録媒体２１１、２１２に格納されているシステムストリームをコピーする場合は、前述のように、ローカルデータリストを、グラフィクス回路１２２により、表示パネル１２３に表示させる。ユーザは、表示されたローカルデータリストの中から、図示しないリモコンを用いてコピーしたいデータを選択すると、リモコン受信素子１２５から制御回路１２１により、指令が入力され、記録媒体２１１あるいは２１２からバッファ制御回路１１０を介して再生バッファ１１２に選択されたシステムストリームが格納される。
【００５６】
ネットワーク接続回路２２から、外部サーバに対し、データ受信要求を送信し、再生バッファ１１２に格納されたシステムストリームが、バッファ制御回路１１０、ネットワーク接続回路２２、ネットワーク接続端子１２４を介して、外部サーバに送信される。
【００５７】
ここでは、コピー制限のないシステムストリームの転送について説明したが、世代コピー制限の付いたシステムストリームを転送する場合は、前述のように、暗号回路１２２１、復号回路１２２２を用いてシステムストリームの暗号、復号をおこなってもよいし、暗号化されたまま、記録媒体２１１、２１２への記録再生を行ってもよい。
【００５８】
以上のように、ユーザは、ディジタルテレビ２のリモコンを用いて、外部サーバからのデータのコピー、外部サーバへのデータのコピーを容易に行うことが出来る。
【実施例４】
【００５９】
（画面）
次に、データ転送装置２の表示部２８、選択部２９についての実施例を示す。
【００６０】
図８は、データ転送装置２の表示部２８に表示される画像の例である。ここでも、データ転送装置２は、ディジタルテレビである場合の例について説明する。
【００６１】
通常の放送番組視聴画面から、例えばリモコンの「ディスクナビゲーション」ボタンを押すと、図８に示す録画番組の一覧が表示される。画面左側のタブ「ＡＬＬ」「内蔵ＨＤＤ」「外付ＨＤＤ」を図示しないリモコンのカーソルボタンにより選択することで選択部２９が選択して、選択したタブのデータ一覧が表示される。この例では、ディジタルテレビ２の内蔵ＨＤＤを選択部２９によりユーザが選択して、内蔵ＨＤＤのデータの一覧が表示されている。なお、「外付ＨＤＤ」は、ディジタルテレビ２に外付けＨＤＤが装着された場合にタブとして表示される。「ＡＬＬ」は全てのタブのデータ一覧が表示される。
【００６２】
ここで、前述のように、サーバであるビデオカメラ１をディジタルテレビ２が検出した場合、図９に示すように、「カメラ１」のタブが、表示部２８により追加表示される。上記と同様に、「カメラ１」のタブを選択すると、図１０に示すように、今度は、ビデオカメラ１のデータ一覧が表示される。ここでユーザは、この場合、例えば、図示しないがリモコンの「ダビング」ボタンを押すことで、図１１に示すダビングの表示画像に遷移する。ここでコピーしたいデータを選択するとそのデータアイコンがハイライトされる。次に、ダビング先を選択する。
【００６３】
ここでは、「内蔵ＨＤＤ」が選択されているが、例えば「外付ＨＤＤ」を選択することも可能である。これらは、「ダビング先」を選択するとプルダウンメニューで複数のダビング先を表示してそこから一つを選択することで可能である。次に、ダビングモードを選択する。ここでは、「ＴＳ」が選択されている。「ＴＳ」とは、例えば、コピーしたいデータであるシステムストリームが、アイコンに示されているように「ＴＳ」であるので、そのままコピーされる。例えば、「ＳＰ」を選択すると、元々のビットレートより低いビットレートで内蔵ＨＤＤに記録することも可能である。実際には、前述のようにシステムストリームのビットレート変更を行って記録する。
【００６４】
ユーザは、「ダビング開始」を選択すると、ビデオカメラ１からデータがネットワークを経由して送信され、内蔵ＨＤＤに記録される。
【００６５】
図１２は、ビデオカメラ１から内蔵ＨＤＤに記録している途中に表示部２８に表示される画面の例である。例えば、転送、記録中は、放送番組視聴画面に切り替わり、その下方に転送の進捗状況を表示する。表示中には、転送元と転送先、図形の点滅による転送の様、進捗度合いが表示される。ここでは、転送のパーセンテージが表示されている。残り時間の表示でもよい。また、転送元および転送先は、ユーザの選択に応じて切り替えることができる。
【００６６】
転送が終了すると、放送番組視聴画面の下方に表示されていた転送の進捗状況が表示されなくなり、通常の放送番組視聴画面になる。
【００６７】
ここで、ユーザが、内蔵ＨＤＤの内容を確認するため、リモコンの「ディスクナビゲーション」ボタンを押すと、録画番組の一覧が表示され、図１３のように、「内蔵ＨＤＤ」のタブを選択すると、ビデオカメラ１からコピーしたデータが追加されて表示される。
【００６８】
さらに、図１３では、「データセンタ」のタブが追加表示されている。これは、ディジタルテレビ２が、ネットワークに接続されているデータセンタを検出したためである。
【００６９】
図１４は、前述の「ダビング先」を選択してプルダウンメニューが表示されている画面の例である。ユーザは、この中からコピー先を選択する。
【００７０】
図１５は、ビデオカメラ１から、データセンタへのコピーする場合のディジタルテレビ２の表示画面の例である。
【００７１】
このように、ユーザは、ディジタルテレビ２のリモコンを用いて、外部サーバから内蔵ＨＤＤへのデータのコピー、内蔵ＨＤＤから外部サーバへのデータのコピー、外部サーバから他の外部サーバへのデータコピーなどを、ディジタルテレビ２の画面から容易に実行することが出来る。
【図面の簡単な説明】
【００７２】
【図１】本発明の第１の実施例であるデータ転送装置を含むビデオデータ転送システムを示す図である。
【図２】本発明に係るデータ転送装置の一実施例のブロック構成を示す図である。
【図３】本発明に係るデータ転送装置がビデオカメラとネットワークを介して接続した場合の動作フローを示す図である。
【図４】本発明に係る取得したサーバデータリストの一例を示す図である。
【図５】本発明に係る取得したローカルデータリストの一例を示す図である。
【図６】本発明に係るデータ転送装置がデータセンタとネットワークを介して接続した場合の動作フローを示す図である。
【図７】本発明に係るデータ転送装置の他の一実施形態を示すブロック図である。
【図８】本発明に係るデータ転送装置の表示部に表示される画像の例を示す図である。
【図９】本発明に係るデータ転送装置の表示部が「カメラ１」のタブを追加表示した例を示す図である。
【図１０】本発明に係るデータ転送装置の表示部がビデオカメラ１のデータ一覧を表示した例を示す図である。
【図１１】本発明に係るデータ転送装置の表示部がダビングの表示画面を表示した例を示す図である。
【図１２】本発明に係るデータ転送装置の表示部がビデオカメラ１から内蔵ＨＤＤに記録している途中に表示した画面の例を示す図である。
【図１３】本発明に係るデータ転送装置の表示部がデータセンタを検出してタブを追加表示した例を示す図である。
【図１４】本発明に係るデータ転送装置の表示部がダビング先を選択するプルダウンメニューを表示した例を示す図である。
【図１５】本発明に係るデータ転送装置の表示部がビデオカメラ１からデータセンタへコピーする場合を表示した例を示す図である。
【符号の説明】
【００７３】
１…ビデオカメラ、２…データ転送装置、３…ネットワーク、４…データセンタ、１０…撮影装置、１１…ＨＤＤ、１２…ブルーレイディスク媒体、１３…リスト生成・送出部、１４…データ送出部、２１…内蔵ＨＤＤ、２２…ネットワーク接続部、２３…サーバ検出部、２４…データ転送要求部、２５…データ転送制御部、２６…サーバリスト取得部、２７…ローカルデータリスト管理部、２８…表示部、２９…選択部、４１…ネットワークストレージ、４２…リスト生成・送出部、４３…データ受信部、１０３…映像信号Ａ／Ｄコンバータ、１０４…音声信号Ａ／Ｄコンバータ、１０５…コピー制限情報検出回路、１０６１…映像信号切り換えスイッチ、１０６２…音声信号切り換えスイッチ、１０７…映像信号圧縮回路、１０８…音声信号圧縮回路、１０９…システムエンコーダ、１１０…バッファ制御回路、１１１…記録用バッファ、１１２…再生用バッファ、２１１…記録媒体、２１２…記録媒体、１１４…システムデコーダ、１１５…映像信号伸張回路、１１６…音声信号伸張回路、１１７…映像信号Ｄ／Ａコンバータ、１１８…音声信号Ｄ／Ａコンバータ。１２１…制御回路、１２２…グラフィクス回路、１２２１…暗号回路、１２２２…復号回路、１２３…表示パネル、１２４…ネットワーク接続端子、１２５…リモコン受信素子、１４１…ディジタル信号入力端子、１４１…ディジタル放送信号入力端子、１４２…ディジタルチューナ。
【図１】
2009088739.tif 000003
【図２】
2009088739.tif 000004
【図３】
2009088739.tif 000005
【図４】
2009088739.tif 000006
【図５】
2009088739.tif 000007
【図６】
2009088739.tif 000008
【図７】
2009088739.tif 000009
【図８】
2009088739.tif 000010
【図９】
2009088739.tif 000011
【図１０】
2009088739.tif 000012
【図１１】
2009088739.tif 000013
【図１２】
2009088739.tif 000014
【図１３】
2009088739.tif 000015
【図１４】
2009088739.tif 000016
【図１５】
2009088739.tif 000017